(57)【特許請求の範囲】
【請求項１】
表面の接触に応じた操作が可能な表示部と、前記表示部に表示させる内容を制御する表示制御部を有し、
前記表示制御部は、前記表示部に対して、
第１領域に、少なくとも画像を表示させ、
前記第１領域とは異なる第２領域に、複数のタブに対応する第２画像を表示させ、
前記複数のタブのうちの第１タブが選択される場合、前記第１領域に、前記第１タブに対応する第１画像を表示させ、
前記第１タブが選択された状態で、前記第２領域に対するスワイプ操作が検出される場合、
前記第１領域に前記第１画像を表示する状態を維持しながら、かつ、前記第２領域に表示される複数のタブをスクロールさせる
制御を行うことを特徴とする電子装置。
【請求項２】
前記表示制御部は、
前記第２領域に表示される任意のタブをタップする入力があると、選択されたタブに対応する第３画像を前記第１領域に表示する、切換え制御部と、
を有する請求項１記載の電子装置。
【請求項３】
前記表示制御部は、
前記第１画像のタブへの接触操作を起点にして、前記第２画像上の複数のタブ上で順次接触状態を移動すると、最前面に現れる画像は接触されたタブに関連した画像に順次切換るように制御する画像切替え制御部を有する請求項１記載の電子装置。
【請求項４】
前記表示制御部は、
前記複数のタブの配列として利用頻度の高いパネルのタブを前記第１画像の左右側若しくは中央に集合させる手段を有する請求項１記載の電子装置。
【請求項５】
表面の接触に応じた操作が可能な表示部と接続可能な電子装置の制御方法において、
前記表示部に対して、
第１領域に、少なくとも画像を表示させ、
前記第１領域とは異なる第２領域に、複数のタブに対応する第２画像を表示させ、
前記複数のタブのうちの第１タブが選択される場合、前記第１領域に、前記第１タブに対応する第１画像を表示させ、
前記第１タブが選択された状態で、前記第２領域に対するスワイプ操作が検出される場合、
前記第１領域に前記第１画像を表示する状態を維持しながら、かつ、前記第２領域に表示される複数のタブをスクロールさせる
制御を行うことを特徴とする電子装置の制御方法。
【請求項６】
前記第２領域の任意のタブを選択した接触入力があると、選択されたタブに対応する第３画像を前記第１領域に切換え表示する、請求項５記載の電子装置の制御方法。
【請求項７】
さらに、前記第１画像のタブへの接触操作を起点にして、前記第２画像上の複数のタブ上で順次接触状態を移動すると、最前面に現れる画像は接触されたタブに関連した画像に順次切換るように制御する請求項５記載の電子装置の制御方法。
【請求項８】
さらに、前記複数のタブの配列として利用頻度の高いパネルのタブを前記第１画像の左右側若しくは中央に集合させて表示する請求項５記載の電子装置の制御方法。
【請求項９】
表面の接触に応じた操作が可能な表示部と接続可能な電子装置を制御するためのプログラムであって、
前記表示部に対して、
第１領域に、少なくとも画像を表示させ、
前記第１領域とは異なる第２領域に、複数のタブに対応する第２画像を表示させ、
前記複数のタブのうちの第１タブが選択される場合、前記第１領域に、前記第１タブに対応する第１画像を表示させ、
前記第１タブが選択された状態で、前記第２領域に対するスワイプ操作が検出される場合、
前記第１領域に前記第１画像を表示する状態を維持しながら、かつ、前記第２領域に表示される複数のタブをスクロールさせることが可能な、
電子装置の制御プログラム。
【請求項１０】
前記第２領域の任意のタブを選択した接触入力があると、選択されたタブに対応する第３画像を前記第１領域に切換え表示するためのインストラクションと、
を有する請求項９記載の電子装置の制御プログラム。
【請求項１１】
さらに、前記第１画像のタブへの接触操作を起点にして、前記第２画画像上の複数のタブ上で順次接触状態を移動すると、最前面に現れる画像は接触されたタブに関連した画像に順次切換るように制御するインストラクションを含む
請求項９記載の電子装置の制御プログラム。
【請求項１２】
さらに、前記複数のタブの配列として利用頻度の高いパネルのタブを前記第１画像の左右側若しくは中央に集合させて表示するインストラクションを含む
請求項９記載の電子装置の制御プログラム。
【発明の詳細な説明】
【技術分野】
【０００１】
本発明の実施形態は、電子装置、電子装置の制御方法、その制御プログラムに関する。
【背景技術】
【０００２】
各種の携帯型電子装置が普及し始めている。携帯型電子装置においては、表示部がタッチ操作入力を兼用することが多い。携帯型電子装置は、種々の用途に切り換えて利用されることができる。携帯電子装置の用途としては、例えば、携帯電話、テレビジョン受信機用のリモートコントローラ、記録再生装置のためのリモートコントローラ、インターネットアクセス用の端末、電子カメラなどがある。そのために、携帯電子装置は、表示部の画面が用途に適応した操作部となるように、各種の画像に切り替えられる。用途が増えれば増えるほど、所望の操作パネルを得るためのタブ数も多くなる。タブ数が多くなった場合、多数のタブを表示部に全部表示すると、１つ１つのタブが小さくなる。このためにユーザは所望のタブをサーチしづらくなり、また所望のタブを選択する操作が困難となる。複数のタブをバー状に配列して、多くのタブを１回の操作で確認できるように、スクロール量を自動調整する技術が開発されている。
【先行技術文献】
【特許文献】
【０００３】
【特許文献１】特開２００９−２６６２２０号公報
【発明の概要】
【発明が解決しようとする課題】
【０００４】
タブ数が多くなると、タブのチェック、所望のタブのサーチを行う期間が長くなる。この結果、メインの操作パネルが消えている期間が長くなり、重要な変化を見落とす場合がある。また元のメインの操作パネルの画像表示状態に戻りたいときに時間が掛る。
【０００５】
そこで本実施形態では、メインとなるパネルの表示状態を維持しながら、複数のタブのチェック、検索を容易にできるようにした電子装置、電子装置の制御方法、その制御プログラムを提供することを目的とする。
【課題を解決するための手段】
【０００６】
実施形態によれば、表面の接触に応じた操作が可能な表示部と、前記表示部に表示させる内容を制御する表示制御部を有し、前記表示制御部は、前記表示部に対して、
第１領域に、少なくとも画像を表示させ、
前記第１領域とは異なる第２領域に、複数のタブに対応する第２画像を表示させ、
前記複数のタブのうちの第１タブが選択される場合、前記第１領域に、前記第１タブに対応する第１画像を表示させ、
前記第１タブが選択された状態で、前記第２領域に対するスワイプ操作が検出される場合、
前記第１領域に前記第１画像を表示する状態を維持しながら、かつ、前記第２領域に表示される複数のタブをスクロールさせる制御を行う。
【図面の簡単な説明】
【０００７】
【図１】実施形態が適用された携帯型電子装置の外観と、該装置の一部を拡大して示す図である。
【図２】実施形態が適用された携帯型電子装置において、複数のタブがスクロールされる一例を示す図である。
【図３】実施形態が適用された携帯型電子装置において、複数のタブがスクロールされる他の例を示す図である。
【図４】実施形態が適用された携帯型電子装置にいて、複数のタブがスワイプ操作される一例を示す図である。
【図５】実施形態が適用された携帯型電子装置において、複数のタブがスワイプ操作されて、選択された画面が開かれスタンバイ状態になった一例を示す図である。
【図６】実施形態が適用された携帯型電子装置において、複数のタブがスワイプ操作されて、選択された画面が開かれスタンバイ状態になった他の例を示す図である。
【図７】実施形態が適用された携帯型電子装置のブロック構成の一例を示す図である。
【図８】実施形態が適用された携帯型電子装置の動作例を説明するために示したフローチャートである。
【図９】実施形態が適用された携帯型電子装置の一使用例を説明するために示した図である。
【図１０】実施形態が適用された携帯型電子装置の他の使用例を説明するために示した図である。
【図１１】携帯型電子装置の他の実施形態によるタブ表示例を示す図である。
【図１２】携帯型電子装置のさらに他の実施形態によるタブ表示例を示す図である。
【図１３】携帯型電子装置のさらに他の実施形態による表示例を示す図である。
【発明を実施するための形態】
【０００８】
以下、実施の形態について図面を参照して説明する。図１には、実施形態が適用された携帯型電子装置の外観と、該装置の一部を拡大して示している。携帯型電子装置は、パーソナルコンピュータ、タブレット、携帯電話器、セルホーン、アイホーン、スマートホーン、電子ブック、インターネット接続デバイス、リモートコントローラ、プレーヤー、衛星ナビゲーター、車載用ディスプレイなどを含み、この用語に限定されるものではなく、広く適用されるものである。
【０００９】
１００は、電子装置であり、表示部１１１は、画像表示が可能であるとともに、タッチ操作入力部でもある。表示部１１１は、これから説明する第１の表示領域１１１Ａと第２の表示領域１１１Ｂを含むことができる。図１の上の段には、電子装置１００の正面からみた全体像を示している。図１の下の段には、上の段の破線で囲んだ部分を拡大して示している。
【００１０】
図１は、スタンバイ状態であり、テレビジョン受信装置（ＴＶ受信装置）の操作パネル２１１が最前面の画像で表示されている。この操作パネル２１１には、リモートコントローラに装備されるテンキー、放送（ＢＳ，ＣＳ９，地上デジタル放送）選択キー、電源オンオフキー、音声調整キー、入力切替えキー、番組表表示キー、カーソル操作キー、決定キーなどが表示されている。ユーザは、これらのキーをタップして、テレビジョン受信装置を所望の動作状態に導くことができる。このときの電子装置は、テレビジョン受信装置のリモートコントローラとして機能することができる。
【００１１】
上記の操作パネル２１１は、第１の表示領域１１１Ａに表示される。この第１の表示領域１１１Ａに表示される画像を第１の画像と称することにする。
【００１２】
さらに表示部１１１は、第１の画像（操作パネル２１１）の表示領域のほかに、第２の画像として複数のタブ（アイコンと称しても良い）を表示する第２の表示領域１１１Ｂが確保されている。この第２の表示領域１１１Ｂの第２の画像（タブ配列パネル２１２）は、第１の画像の一部が切り欠かれた部分、或いは第１の平面画像の窓に、露呈した状態で表示される。つまり表示部の表示領域において、第２の画像は第１の画像とは異なる領域に表示される。第１の画像と、第２の画像とは、前面画像（明るい画像）と背面画像（暗い画像）の関係で見えることができる。
【００１３】
図１の例では、表示部１１１において、第１の表示領域１１１Ａの上部に第２の表示領域１１１Ｂが横長に確保されている。また第１の表示領域１１１Ａの操作パネル２１１に対応するタブＴ１１が第２の表示領域１１１Ｂに重なって表示される。
【００１４】
上記のように表示部１１１において、第１の表示領域１１１Ａと、第２の表示領域１１１Ｂが安定して表示された状態をスタンバイ状態と称する。ただしこの称呼は限定されるものではなく、種々の呼び名があっても構わない。
【００１５】
第２の表示領域１１１Ｂに表示される第２の画像は、ユーザが選択可能な複数のタブを表示している。
【００１６】
図１の例では、メディアプレーヤの操作パネルに関連したタブＴ１２、ブルーレイディスク（ＢＤ）プレーヤーの操作パネルに関連したタブＴ１３、デジタルバーサタイルディスク（ＤＶＤ）クプレーヤーの操作パネルに関連したタブＴ１４、携帯電話の操作パネルに関連したタブＴ１５、デジタルカメラ操作パネルに関連したタブＴ１６、メール送信のための操作パネルに関連したタブＴ１７、インターネット接続のための操作パネルに関連したタブＴ１８、文書入力を行うための操作パネルに関連したタブＴ１９、コンパクトディスク（ＣＤ）プレーヤーの操作パネルに関連したタブＴ２０、衛星放送受信（例えばＧＰＳ）の操作パネルに関連したタブ２１、ＶＣＲの操作パネルに関連したタブＴ２２などが示されている。この例は、一部の例であり、さらに多数のタブＴ１７がある。またタブの呼び名もここに記載される呼び名、表示形態に限定されるものではなく、種々の呼び名、或いは表示形態が可能である。
【００１７】
ユーザは、所望のタブにタッチするタップ操作を行うことにより、当該タブに関連するパネルが第１の画像として第１の表示領域１１１Ａに表示されることができる。
【００１８】
ここで上記のようにタブの数が多くなると、すべてを第２の表示領域１１１Ｂ内に表示することが不可能となる。またできるだけ多くのタブを表示しようとすると、それぞれのタブの大きさが小さくなり、隣り合うタブ間の間隔も狭くなり、操作が不便、操作ミスが生じる。
【００１９】
そこで本実施形態においては、個々のタブの大きさは変更せず、隣り合うタブの間隔はユーザが操作し易い大きさに維持している。そして、タブ配列パネル２１２（第２の画像）がスワイプ操作されると、操作パネル２１１（第１の画像）が最前面画像で維持された状態で、複数のタブをスクロールさせることができる。
【００２０】
図２、図３は、複数のタブをスクロールさせる様子を示している。図２は図１に示される手３０が、位置３−１から左方向へ摺動移動し、いわゆるスワイプ操作し、図２の３−２の位置に摺動移動した場合の例である。この場合は、図１では第２の表示領域の左側に表示されていたタブＴ２１，Ｔ２２がタブ配列パネル２１２から消えて、タブ配列パネル２１２の右側に新たなタブＴ１６，Ｔ１７が現れている。
【００２１】
また、図３は図２に示される手３０が、位置３−２から右方向へ摺動移動し、いわゆるスワイプ操作し、図３の３−３の位置に摺動移動した場合の例である。この場合は、図２ではタブ配列パネル２１２の左側にタブＴ２２、Ｔ２１が現れて、タブ配列パネル２１２の右側から、タブＴ１６，Ｔ１７が消えている。
【００２２】
上記したように、ユーザが興味のあるタブのサーチを希望する場合、第１の画像（この場合はＴＶの操作パネル）の表示を維持した状態で、当該サーチを行うことができる。また、当然であるが、タブの画像の大きさや、隣接するタブの間隔は、操作し易い大きさに設定することが可能である。
【００２３】
上記したように第１の画像の表示を維持した状態で、タブ配列パネルの複数のタブをスクロールできる。このために、ユーザは、第１の画像の重要な表示を見落とす確立が低減される。例えば第１の画像でナビゲーションとなる地図を表示させた状態で、ユーザが歩行移動している最中に、タブをスクロールできる。例えばナビゲーションとなる地図を表示させた状態で、お好みレストランが紹介されているような案内画面のタブを探すことができる。
【００２４】
また、元のパネルに戻りたいときは、改めてタブを選択する作業が不要である。このために使い勝手が向上する。
【００２５】
またこの実施形態では、設定操作により、第２の画像を表示する第２の表示領域を拡大或いは縮小設定することも可能である。また隣接するタブの間隔を調整することも可能である。
【００２６】
図４、図５及び図６は本実施形態の他の動作例を説明するために示している。本実施形態は、複数のタブが表示された状態を有効に活用することができる。例えば、ユーザの指が最前面に表示されている第１の画像のタブＴ１１にタッチし、第２の画像の領域１１１Ｂをスワイプし、タブＴ１５の位置でとまったとする。即ち、手３０の指が位置３−５から位置３−６まで摺動し停止したとする。すると、図５に示すように、携帯電話の操作パネル４１０が開かれる。携帯電話の操作パネル４１０には電話番号入力キーが表示される。ユーザは、電話番号入力キーにタッチし、電話番号をセットすることができる。セットされた電話番号は、番号表示領域４１２に表示される。また送信ボタン、着信受けボタンなども表示される。
【００２７】
図４の状態から、今度は、ユーザの指が最前面に表示されている第１の画像のタブＴ１１にタッチし、この状態で、第２の画像の領域１１１Ｂをスワイプし、タブＴ１６の位置でとまったとする。即ち、手３０の指が位置３−５から位置３−７まで摺動し停止したとする。すると、図６に示すように、デジタルカメラ操作パネル５１１が現れる。デジタルカメラ操作パネル５１１内には、見るモードを設定するボタン、撮るモードを設定するボタン、フォーカスボタン、シャッターボタン、画像表示領域などが確保される。
【００２８】
上記のように、本装置では現在最前面に表示されているパネルのタブに指をタッチし、タブ配列パネルをスワイプ操作すると、指の適切な移動速度により、次々とタブに対応するパネル画面を１つずつ開くことができる。
【００２９】
つまり第１の画像のタブへのタッチ操作を起点にして、第２の平面画面上の複数のタブ上で順次タッチ状態を移動すると、最前面に現れる画面はタッチされたタブに関連した画面に順次切換る。このために複数のタブに関連する画像を次々と確認することができる。
【００３０】
図７は、上記した電子装置１００の内部の代表的なブロック構成を示している。表示部１１１から入力された操作入力は、操作入力取得部１０００で取得され、制御部１１００に供給される。制御部１１００は、入力解析部１１０１で操作入力の内容（コマンド）を解析する。入力解析部１１０１で解析された結果のデータは、データ処理部１１０２に入力される。
【００３１】
データ処理部１１０２は、操作入力に応じて、操作内容を装置動作に反映するために、制御信号を各部のブロックに供給する。データ処理部１１０２は、表示制御部１１０３、送受信部１１０４、カメラ機能部１１０５、メール及び電話機能部１１０６、メモリ１１０７、１１０８を制御することができる。
【００３２】
表示制御部１１０３は、先に説明したスタンバイ状態を得るスタンバイ状態出力部１２１１、スクロール制御部１２１２、画像切替え制御部１２１３を含む。スクロール制御部１２１２は、先のスワイプ操作入力があったときに、第２の画像であるタブ配列パネル２１２をスクロールさせる制御を行う。画像切替え制御部１２１３は、タブに対するタップ操作があったとき、選択されたタブに関連するパネルを第１の画像として開くことができる。また、図４、図５及び図６で説明したような摺動操作があったときに、最後に選択されたタブに関連するパネルを第１の画像として開くことができる。
【００３３】
メモリ１１０７は、使用するアプリケーションを一時的に展開する領域、及び又は、文書入力処理時に一時的にデータを保存する領域として利用される。メモリ１１０８は、例えば複数のアプリケーションを予め格納する領域、各種の操作パネルなどの画像データを保存する領域として利用される。メモリ１１０８は交換可能であってもよい。１１０９は充電が可能なバッテリである。
【００３４】
上記の制御部１１００は、コンピュータ、或いはプロセッサ、制御装置と称されてもよい。制御部１１００は、インストラクションにより所望の動作を行い、表示部に所望の画像を表示させることができる。インストラクションを有するプログラムは、例えばメモリ１１０８から読み出されて、制御部１１００内で利用される。
【００３５】
図８は、操作入力があってから、表示部１１１に表示する画像が決まるまでの動作を示すフローチャートである。操作入力があるかどうかの判定がなされる（ステップＳＡ１）。操作入力があった場合、操作入力の取り込み、解析が行われる（ステップＳＡ２）。操作入力に応じて、表示部１１１で表示すべき画像の選択と決定が行われる（ステップＳＡ３）。次に選択された画像の表示制御が実行される（ステップＳＡ４）。
【００３６】
本装置は、上記した実施形態に限定されるものではない。図９、図１０には、第１の画像として携帯電話の操作パネル４１０が表示された例を示している。また先の図５では、装置１００が横長の姿勢で操作される例を示したが、図９、図１０では装置が縦長の姿勢で操作される例を示している。この場合は、タブ配列パネル２１２は、表示部右側或いは左側に表示される。ここで、ユーザによっては、左利き、右利きの人がいるので、タブ配列パネル２１２が、右側表示（図９）或いは左側表示（図１０）に切り換えられるようにしてもよい。この切替えのための切替えボタン４２２が表示されてもよい。
【００３７】
ユーザが、所望のタブを選択すると、選択したタブに関連する操作パネルが第１の画像として表示される。ユーザは、所望の操作パネルを使用するうちに、利用頻度の高い操作パネルと、利用頻度の小さい操作パネルが生じる。本装置は、タブ配列パネル２１２に表示されるタブの配列順序を、上記利用頻度に応じて変更する機能を有する。
【００３８】
図１１には、装置が横長の姿勢で使用される例を示している。タブ配列は、利用頻度の高いパネルのタブは、左側の点線２１２Ｌ内と、右側の点線２１２Ｒ内にそれぞれ集合する。このようにタブ配列が修正された場合、ユーザは、左手の指、若しくは右手の指で所望のタブを選択するための操作が容易となる。
【００３９】
図１２には、装置が縦長の姿勢で使用される例である。この場合は利用頻度の高いパネルのタブは、上下の間の中央の点線２１２Ｃ内に集合する。
【００４０】
上記の利用頻度の高いパネルの情報整理とタブの配列の修正は、例えば表示制御部１１０３において実施される。
【００４１】
本装置の機能は上記の実施形態に限定されるものではない。図１３には２画面が表示された例を示している。２画面の表示状態とするには次のような操作が行われる。例えば、まず、最初にデジタルカメラ操作パネル５１１が表示された状態であるとする。この状態で、デジタルカメラ操作パネル５１１に、例えば右手３０Ｒの指がタッチされた状態で、他のタブが例えば左手３０Ｌの指でタップ操作される。すると、他のタブに関連する操作パネルも表示される。この場合、表示部１１１は、２画面表示状態となる。図１３の例は、文書入力用の操作パネルが開いた様子を示している。
【００４２】
本発明の範囲は、携帯型電子装置の制御プログラムも含むものである。即ち、制御プログラムは、複数の画像の画像データを格納したメモリから画像データを読出し、タッチ操作入力を兼用した表示部に対して表示する画像を制御するためのコンピュータ用プログラムである。
【００４３】
プログラムに含まれるインストラクションは、表示部に対して、複数の画像の中の任意の画像を第１の画像として表示し、前記第１の画像の一部の領域から現れた状態で、複数のタブを配列したタブ配列パネルを第２の画像として表示することができる。またインストラクションは、さらに第２の画像の表示領域がスワイプ操作された場合、第１の画像を最前面画像として維持した状態で、前記複数のタブをスクロールさせることができる。さらにまたインストラクションは、複数のタブの表示領域の任意のタブを選択したタップ入力があると、選択されたタブに対応する第３の画像を最前面画像として切換え表示することができる。
【００４４】
また本発明の範囲は、上記のコンピュータ用プログラムを格納した記憶媒体についても及ぶものである。
【００４５】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１００・・・電子装置、１１１・・・表示部、１１１Ａ・・・第１の表示領域、１１１Ｂ・・・第２の表示領域、２１１・・・操作パネル（第１の画像）、２１２・・・タブ配列パネル（第２の画像）、Ｔ１１−Ｔ２１・・・タブ。
【要約】
【課題】本実施形態では、メインとなるパネルの表示状態を維持しながら、複数のタブのチェック、検索を容易にできるようにした携帯型電子装置、携帯型電子装置の制御方法を提供する。
【解決手段】本実施形態によれば、タッチ操作入力を兼用した表示部と、前記表示部に表示する画像を出力する表示制御部を有する。前記表示制御部は、スタンバイ状態出力部、切換え制御部を含む。スタンバイ状態出力部は、前記表示部に対して、前記画像の中の少なくとも１つを第１の画像として表示し、前記第１の画像の一部とは異なる領域で、複数のタブを配列した第２の画像を表示する。切換え制御部は、前記第２の画像の表示領域がスワイプ操作された場合、前記第１の画像を最前面画像として維持した状態で、前記複数のタブをスクロールさせる。
【選択図】図７【図１】
0005204326.tif 000002
【図２】
0005204326.tif 000003
【図３】
0005204326.tif 000004
【図４】
0005204326.tif 000005
【図５】
0005204326.tif 000006
【図６】
0005204326.tif 000007
【図７】
0005204326.tif 000008
【図８】
0005204326.tif 000009
【図９】
0005204326.tif 000010
【図１０】
0005204326.tif 000011
【図１１】
0005204326.tif 000012
【図１２】
0005204326.tif 000013
【図１３】
0005204326.tif 000014